(57)【要約】【課題】使用者が脚に対する脚帯の取り付け方向を誤ることを抑制することのできるエアーマッサージ器を提供する。【解決手段】このエアーマッサージ器１は、第１エアーバッグ１３が設けられて左右の一方の脚に装着される第１脚帯１０と、第１エアーバッグ１３にエアーを供給する本体３０とを備えている。本体３０は第１脚帯１０に設けられるものである。そして、第１脚帯１０には脚に対する上下の取り付け方向を示す上下方向ラベル１７が設けられている。【選択図】図１
2011067289.tif 000002
【特許請求の範囲】
【請求項１】
エアーバッグが設けられる脚帯と、前記エアーバッグにエアーを供給する本体とを備え、前記本体が前記脚帯に設けられるエアーマッサージ器において、
前記脚帯及び前記本体の少なくとも一方には、脚に対する上下の取り付け方向を示す目印となる構造が採用されている
ことを特徴とするエアーマッサージ器。
【請求項２】
請求項１に記載のエアーマッサージ器において、
前記本体の上面に操作スイッチが設けられている
ことを特徴とするエアーマッサージ器。
【請求項３】
請求項１または２に記載のエアーマッサージ器において、
前記脚帯には、この脚帯を脚の周囲に止めるための締結手段と、同締結手段とは別に脚に対する位置ずれを抑制するためのずれ止め手段とが設けられる
ことを特徴とするエアーマッサージ器。
【請求項４】
請求項１〜３のいずれか一項に記載のエアーマッサージ器において、
このエアーマッサージ器は、前記脚帯として一方の脚に装着される第１脚帯と、他方の脚に装着される第２脚帯と、前記本体によるエアーの供給態様を制御する制御部とを含むものであり、
前記第２脚帯は、エアーバッグを含むものであり、
前記本体は、前記第１脚帯に設けられて前記第１脚帯及び前記第２脚帯のエアーバッグのそれぞれにエアーを供給するものであり、
前記制御部は、前記第１脚帯のエアーバッグの膨張態様と前記第２脚帯のエアーバッグの膨張態様との差が小さくなるように前記本体によるエアーの供給態様を制御するものである
ことを特徴とするエアーマッサージ器。
【発明の詳細な説明】
【技術分野】
【０００１】
本発明は、エアーバッグが設けられる脚帯と、前記エアーバッグにエアーを供給する本体とを備え、前記本体が前記脚帯に設けられるエアーマッサージ器に関する。
【背景技術】
【０００２】
上記エアーマッサージ器としては、例えば特許文献１のものが知られている。
このエアーマッサージ器は、脚帯に設けられたエアーバッグへのエアーの供給、及びエアーバッグからのエアーの排出を繰り返して行うことにより、使用者の脚に空気圧によるマッサージを施す。また、このエアーマッサージ器では、エアーの供給及び排出を行う本体を脚帯に設けることで本体と脚帯とを接続するホースを短縮している。
【先行技術文献】
【特許文献】
【０００３】
【特許文献１】特許第３７０５０１５号
【発明の概要】
【発明が解決しようとする課題】
【０００４】
上記マッサージ器をはじめとする従来のエアーマッサージ器は、脚に対する脚帯の上下方向を正しく設定したうえで脚に脚帯を取り付けることにより、エアーバッグによる脚のマッサージが適切に行われるように設計される。一方、脚帯としては、個人毎に脚の形状が大きく異なることを考慮して、いろいろな形状の脚に対する取り付けができるように設計される。このため、脚に対する脚帯の上下方向が反対に設定された状態でも脚への取り付けができてしまう。
【０００５】
使用者は、このように上下方向を間違えて脚帯を装着したときには、脚帯を脚から取り外して脚帯の上下方向を正しく設定しなおし、そのうえで再び脚への装着を行う必要がある。
【０００６】
しかし、特許文献１のエアーマッサージ器のように、脚帯に本体が設けられた構造のものにおいては、脚帯と本体とが各別に形成されている構造のエアーマッサージ器に比べて本体の分だけ脚帯が重いため、上記のように脚帯を装着しなおすときの使用者の負担が大きくなる。
【０００７】
本発明はこのような実情に鑑みてなされたものであり、その目的は、使用者が脚に対する脚帯の取り付け方向を誤ることを抑制することのできるエアーマッサージ器を提供することにある。
【課題を解決するための手段】
【０００８】
以下、上記目的を達成するための手段及びその作用効果について記載する。
（１）請求項１に記載の発明は、エアーバッグが設けられる脚帯と、前記エアーバッグにエアーを供給する本体とを備え、前記本体が前記脚帯に設けられるエアーマッサージ器において、前記脚帯及び前記本体の少なくとも一方には、脚に対する上下の取り付け方向を示す目印となる構造が採用されていることを要旨としている。
【０００９】
この発明では、脚に対する上下の取り付け方向を示す目印となる構造を脚帯及び本体の少なくとも一方に採用するようにしているため、使用者が脚に対する脚帯の取り付け方向を誤ることを抑制することができる。
【００１０】
（２）請求項２に記載の発明は、請求項１に記載のエアーマッサージ器において、前記本体の上面に操作スイッチが設けられていることを要旨としている。
この発明では、本体の上面に操作スイッチを設けるようにしているため、脚に脚帯を装着した状態において操作スイッチを容易に視認することができる。従って、使用者が操作スイッチを誤って操作することを抑制することができる。
【００１１】
（３）請求項２に記載の発明は、請求項１または２に記載のエアーマッサージ器において、前記脚帯には、この脚帯を脚の周囲に止めるための締結手段と、同締結手段とは別に脚に対する位置ずれを抑制するためのずれ止め手段とが設けられることを要旨としている。
【００１２】
脚帯が本体に設けられたエアーマッサージ器においては、脚帯と本体とが各別に形成されている構造のエアーマッサージ器に比べて本体の分だけ脚帯が重いため、脚に装着された脚帯が脚に対してずれやすくなる。上記発明では、締結手段とは別にずれ止め手段を設けるようにしているため、脚帯が脚に対してずれることを好適に抑制することができる。
【００１３】
（４）請求項４に記載の発明は、請求項１〜３のいずれか一項に記載のエアーマッサージ器において、このエアーマッサージ器は、前記脚帯として一方の脚に装着される第１脚帯と、他方の脚に装着される第２脚帯と、前記本体によるエアーの供給態様を制御する制御部とを含むものであり、前記第２脚帯は、エアーバッグを含むものであり、前記本体は、前記第１脚帯に設けられて前記第１脚及び前記第２脚帯のエアーバッグのそれぞれにエアーを供給するものであり、前記制御部は、前記第１脚帯のエアーバッグの膨張態様と前記第２脚帯のエアーバッグの膨張態様との差が小さくなるように前記本体によるエアーの供給態様を制御するものであることを要旨としている。
【００１４】
左右の脚のそれぞれに装着される第１脚帯及び第２脚帯を備えるとともに、第１脚帯に本体が設けられるエアーマッサージ器においては、本体から第１脚帯及び第２脚帯のそれぞれまでのエアー供給路の長さが異なるため、第１脚帯と第２脚帯との間でエアーバッグの膨張態様に差が生じやすくなる。そして、エアーバッグの膨張態様の差が過度に大きいときには、このことが使用者に対して不快感を与えるおそれもある。
【００１５】
上記発明では、第１脚帯のエアーバッグの膨張態様と前記第２脚帯のエアーバッグの膨張態様との差が小さくなるように本体によるエアーの供給態様を制御するようにしているため、各エアーバッグの膨張態様の差に起因して使用者が不快感を覚えることを抑制することができる。
【発明の効果】
【００１６】
本発明によれば、使用者が脚に対する脚帯の取り付け方向を誤ることを抑制することのできるエアーマッサージ器を提供することができる。
【図面の簡単な説明】
【００１７】
【図１】本発明のエアーマッサージ器を具体化した第１実施形態について、その正面構造を示す正面図。
【図２】同実施形態のエアーマッサージ器の本体について、（ａ）その正面構造を示す正面図、（ｂ）その内部構造を示す正面図、及び（ｃ）その電気系統の回路構成を示す回路図。
【図３】同実施形態のエアーマッサージ器について、エアーの流通経路を模式的に示す模式図。
【図４】同実施形態のエアーマッサージ器をその構成要素毎に分解した分解図。
【図５】同実施形態のエアーマッサージ器を使用者が装着したときの装着状態を示す状態図。
【図６】同実施形態のエアーマッサージ器について、動作時の圧力の変化を示すタイミングチャート。
【図７】本発明のエアーマッサージ器を具体化した第２実施形態について、動作時の圧力の変化を示すタイミングチャート。
【図８】本発明のエアーマッサージ器を具体化した第３実施形態について、その電気系統の回路構成を示す回路図。
【図９】同実施形態のエアーマッサージ器について、エアーの流通経路を模式的に示す模式図。
【図１０】本発明のエアーマッサージ器を具体化した第４実施形態について、その第１脚帯の斜視構造を示す斜視図。
【図１１】本発明のエアーマッサージ器を具体化した第５実施形態について、同エアーマッサージ器をユーザが装着したときの状態を示す状態図。
【図１２】本発明のエアーマッサージ器を具体化したその他の実施形態について、その第１脚帯の斜視構造を示す斜視図。
【発明を実施するための形態】
【００１８】
（第１実施形態）
図１〜図６を参照して、本発明の第１実施形態について説明する。
図１に示されるように、エアーマッサージ器１は、それぞれ左右の脚に取り付けられて脚に対して加圧する第１脚帯１０及び第２脚帯２０と、第１脚帯１０の表面に設けられてエアーの供給及び排出を制御する本体３０とにより構成されている。なお、本実施形態においては、第１脚帯１０及び第２脚帯２０が使用者の脚に取り付けられる状態において露出する面を「表面」とし、使用者の脚に接触する面を「裏面」とする。また、同じく取り付け状態において、脚の付け根の方向を「上方向」とし、同上方向の面を「上面」とし、足方向を「下方向」とする。
【００１９】
第１脚帯１０は二重の布から成るものであり、長方形状の脚帯本体１１と、脚帯本体１１の両端に設けられて第２脚帯２０を筒状にして脚に締結可能なファスナー１２と、脚帯本体１１の中央において二重の布の内部に配置された第１エアーバッグ１３と、本体３０を第１脚帯１０に取り付けるための取付具１６とにより構成されている。
【００２０】
第１エアーバッグ１３は、脚への装着時において上方向に位置する第１上バッグ１４と、同バッグ１４の下方に位置する第１下バッグ１５とにより構成されている。これら第１上バッグ１４及び第１下バッグ１５には、それぞれ別にエアーの供給及び排出が行われ互いに独立して膨張及び収縮する。またこの他に、第１脚帯１０には、第１脚帯１０の上下方向を使用者に示す上下方向ラベル１７が設けられている。
【００２１】
第２脚帯２０は二重の布から構成される長方形状の脚帯本体２１と、脚帯本体２１の両端に設けられて第２脚帯２０を筒状にして脚に締結可能なファスナー２２と、脚帯本体２１の中央において二重の布の内部に配置された第２エアーバッグ２３とにより構成されている。
【００２２】
第２エアーバッグ２３は、脚への装着時において上方向に位置する第２上バッグ２４と、同バッグ２４の下方に位置する第２下バッグ２５とにより構成されている。これら第２上バッグ２４及び第２下バッグ２５には、それぞれ別にエアーの供給及び排出が行われ互いに独立して膨張及び収縮する。
【００２３】
本体３０は、ケース３１に構成部品を内包した状態にて第１脚帯１０に取り付けられている。ケース３１の上面には使用者が本体を操作するための操作スイッチ３３が設けられている。ケース３１の外側には、電源３４及び本体３０と第２脚帯２０の第２エアーバッグ２３とを接続するホース４０の一部が配置されている。
【００２４】
図２を参照して、本体３０について詳述する。
図２（ａ）及び（ｂ）に示されるように、本体３０は、ケース３１と、ケース３１上部に配置される操作スイッチ３３と、ケース３１と電源とを接続する電源３４と、ケース３１内部に配置されるポンプ３５及びホース４０及びエアーの供給態様の変更を担う第１電磁弁３６及び第２電磁弁３７と、制御部５０とにより構成されている。
【００２５】
ポンプ３５には、ホース４０が接続されており、ホース４０を介してエアーマッサージ器１の各供給部位へのエアーの供給及び供給部位からのエアーの排出を行う。ホース４０の途中には、制御部５０によって制御される第１電磁弁３６及び第２電磁弁３７が設けられ、エアーの供給部位へのエアーの供給及び供給部位からのエアーの排出、及び供給及び排出の停止の３態様の間で供給態様を変更する。
【００２６】
図２（ｃ）に示されるように、ポンプ３５と第１電磁弁３６及び第２電磁弁３７は制御部５０によって制御されている。電源３４を介して供給された電力は、制御部５０及びこれに接続されて制御されるポンプ３５及び第１電磁弁３６及び第２電磁弁３７に電力を供給している。制御部５０への電力の供給態様は操作スイッチ３３のオン及びオフによって供給と停止との間で切り替えられる。
【００２７】
図３を参照して、各供給部位に対するエアーの供給態様について詳述する。
同図に示されるように、ポンプ３５と各供給部位すなわち第１エアーバッグ１３の第１上バッグ１４及び第１下バッグ１５と、第２エアーバッグ２３の第２上バッグ２４と第２下バッグ２５とは、ホース４０によって接続されている。ポンプ３５と接続される基本ホース４１は、上ホース４２及び下ホース４５に分岐している。
【００２８】
上ホース４２は、さらに下流で第１上バッグ１４と接続される第１上ホース４３と、第２上バッグ２４と接続される第２上ホース４４に分岐している。下ホース４５は、さらに下流で、第１下バッグ１５と接続される第１下ホース４６と、第２下バッグ２５と接続される第２下ホース４７に分岐している。
【００２９】
上ホース４２と下ホース４５とが分岐する部分には、第１電磁弁３６が設けられている。下ホース４５の途中には第２電磁弁３７が設けられている。すなわち、第１上バッグ１４及び第２上バッグ２４に対するエアーの供給態様、すなわち供給状態及び排出状態及び停止状態は第１電磁弁３６によって切り替えられ、第１下バッグ１５及び第２下バッグ２５に対するエアーの供給態様は第２電磁弁３７によって切り替えられる。
【００３０】
具体的には、電磁弁３６，３７による供給態様と各バッグ１４，１５，２４，２５に対するエアーの供給態様は以下のような関係になる。
（Ａ１）第１電磁弁３６が供給状態にあるとき、第１上バッグ１４及び第２上バッグ２４にエアーが供給される。
（Ａ２）第１電磁弁３６が排出状態にあるとき、第１上バッグ１４及び第２上バッグ２４からエアーが排出される。
（Ａ３）第１電磁弁３６が停止状態にあるとき、第１上バッグ１４及び第２上バッグ２４へのエアーの供給及び第１上バッグ１４及び第２上バッグ２４からのエアーの排出は行われず、各バッグ１４，２４内のエアーは保持される。
（Ｂ１）第２電磁弁３７が供給状態にあるとき、第１下バッグ１５及び第２下バッグ２５にエアーが供給される。
（Ｂ２）第２電磁弁３７が排出状態にあるとき、第１下バッグ１５及び第２下バッグ２５からエアーが排出される。
（Ｂ３）第２電磁弁３７が停止状態にあるとき、第１下バッグ１５及び第２下バッグ２５へのエアーの供給及び第１下バッグ１５及び第２下バッグ２５からのエアーの排出は行われず、各バッグ１５，２５内のエアーは保持される。
【００３１】
図４を参照して、本体３０と第１脚帯１０との接続態様について説明する。
本体３０は、ケース３１の上面が第１脚帯１０の上方と一致するように第１脚帯１０脚帯の表面に固定されている。具体的には、脚帯本体１１の表面中央部であって脚帯本体１１の表面には、長方形の固定部１１Ｂが固定されている。取付具１６には、穴のある脚帯取付部１６Ｂが形成されている。固定部１１Ｂの中央部分が、この脚帯取付部１６Ｂの穴に通された状態にて、同固定部１１Ｂの両端が脚帯本体１１に固定されて、脚帯本体１１と取付具１６との相対的な位置がずれないように接続されている。
【００３２】
取付具１６の表面には、フック状の本体取付部１６Ａが突出形成されている。本体３０のケース３１の裏面には、本体取付部１６Ａと対応する態様で、取付穴３１Ａが形成されている。本体３０の取付穴３１Ａが取付具１６の本体取付部１６Ａに嵌め合わされて、取付具１６と本体３０との相対的な位置が固定される。既に述べたように取付具１６は、脚帯本体１１に固定されるものであるので、取付具１６を介することにより、本体３０と第１脚帯１０との相対的な位置関係が保持されるようになる。
【００３３】
図５を参照して、エアーマッサージ器１の使用態様について説明する。
図５（ａ）に示されるように、使用者は、左脚に第１脚帯１０を巻き付けて端面に備えられたファスナー１２（図１参照）を他方の端面に接触させることによって第１脚帯１０を脚に締結した状態で装着する。同様に、右脚に第２脚帯２０を巻き付けて端面に備えられたファスナー２２（図１参照）を他方の端面に接触させることによって第２脚帯２０を脚に締結した状態で装着する。
【００３４】
第１脚帯１０及び第２脚帯２０が装着された状態において、左脚に装着された第１脚帯１０に取り付けられた本体３０のケース３１からは第２上ホース４４及び第２下ホース４７が延び、それぞれ右脚に装着された第２脚帯２０内部の第２上バッグ２４及び第２下バッグ２５に接続されている。
【００３５】
図５（ｂ）に示されるように、本体３０の上面には操作スイッチ３３が設けられている。使用者がこの操作スイッチ３３を操作してオンにすると、制御部５０に電源が供給されて、ポンプ３５及び第１電磁弁３６及び第２電磁弁３７が駆動を開始する。そして、制御部５０の指令によって第１エアーバッグ１３及び第２エアーバッグ２３に対するエアーの供給及びこれらエアーバッグからのエアーの排出及び供給・排出の停止が順次行われることで、各バッグ１４，１５，２４，２５は膨張と収縮を繰り返す、すなわち使用者の脚に対して加圧を繰り返す。
【００３６】
なお、図２を参照して説明したように、第１上バッグ１４及び第２上バッグ２４に対するエアーの供給態様は第１電磁弁３６によって切り替えられ、第１下バッグ１５及び第２下バッグ２５に対するエアーの供給態様は第２電磁弁３７によって切り替えられるため、各バッグは以下の周期で膨張と収縮を繰り返す。すなわち、第１上バッグ１４及び第２上バッグ２４の膨張と収縮は同時に行われ、第１下バッグ１５及び第２下バッグ２５の膨張と収縮は同時に行われ、さらに各上バッグ１４，２４と各下バッグ１５，２５の膨張と収縮はそれぞれ独立に行われる。
【００３７】
図６を参照して、エアーマッサージ器１のより具体的な動作について説明する。
時刻ｔ１０において、使用者が操作スイッチ３３を操作して、エアーマッサージ器１を駆動させる。このとき、第１電磁弁３６及び第２電磁弁３７はともに排気状態に切り替えられている。
【００３８】
時刻ｔ１１において、第１電磁弁３６が供給状態に切り替えられて、第１上バッグ１４及び第２上バッグ２４へのエアーの供給が開始される。
時刻ｔ１２、すなわち時刻ｔ１１から第１上バッグ１４及び第２上バッグ２４が最大限に膨張するまでの期間が経過したとき、第１電磁弁３６が供給及び排出の停止状態に切り替えられる。なお、この第１上バッグ１４及び第２上バッグ２４が最大限に膨張するまでの期間は予め実験等に基づいて設定される。
【００３９】
時刻ｔ１３、すなわち時刻ｔ１２から所定時間経過したとき、第１電磁弁３６は排出状態に切り替えられて、第１上バッグ１４及び第２上バッグ２４からのエアーの排出が開始される。
【００４０】
時刻ｔ１４、すなわち第１上バッグ１４及び第２上バッグ２４からのエアーの排出が行われている状態において、第２電磁弁３７が供給状態に切り替えられたとき、第１下バッグ１５及び第２下バッグ２５へのエアーの供給が開始される。
【００４１】
時刻ｔ１５、すなわち時刻ｔ１４から第１下バッグ１５及び第２下バッグ２５が最大限に膨張するまでの期間が経過したとき、第２電磁弁３７が供給及び排出の停止状態に切り替えられる。なお、この第１下バッグ１５及び第２下バッグ２５が最大限に膨張するまでの期間は予め実験等に基づいて設定される。
【００４２】
時刻ｔ１６、すなわち時刻ｔ１５から所定時間経過したとき、第２電磁弁３７は排出状態に切り替えられて、第１下バッグ１５及び第２下バッグ２５からのエアーの排出が開始される。
【００４３】
時刻ｔ１７、すなわち第１下バッグ１５及び第２下バッグ２５からのエアーの排出が行われている状態において、第１電磁弁３６が供給状態に切り替えられたとき、第１上バッグ１４及び第２上バッグ２４へのエアーの供給が開始される。
【００４４】
このようにして、操作スイッチ３３がオフに切り替えられるまでの間、第１上バッグ１４及び第２上バッグ２４と、第１下バッグ１５と第２下バッグ２５とが交互に膨張と収縮を繰り返し、使用者の脚に対してマッサージを行う。
【００４５】
以上詳述したように、本実施形態によれば以下に示す効果が得られるようになる。
（１）本実施形態では、第１脚帯１０には、脚に対する上下の取り付け方向を示す上下方向ラベル１７を採用するようにしているため、使用者が脚に対する第１脚帯１０の取り付け方向を誤ることを抑制することができる。
【００４６】
（２）本実施形態では、本体３０の上面に操作スイッチ３３を設けるようにしているため、脚に第１脚帯１０を装着した状態において操作スイッチ３３を容易に視認することができる。従って、使用者が操作スイッチ３３を誤って操作することを抑制することができる。
【００４７】
（３）本実施形態では、本体３０を第１脚帯１０に設けるようにしているため、第１エアーバッグ１３と対応するホース４０は本体３０のケース３１内及び、第１脚帯１０に収容される。すなわち、ケース３１の外に延出するホース４０は、第２エアーバッグ２３と対応する第２上ホース４４及び第２下ホース４７のみとなる。このため、例えば本体３０を脚帯に設けないときと比較して、本体３０と第１脚帯１０との間でホース４０が延出することがない。このため、使用時や収納時において使用者が煩わしさを感じたり、使用時の美感を損なったりすることを抑制することができるようになる。
【００４８】
（第２実施形態）
図７を参照して、本発明の第２実施形態について説明する。なお、本実施形態は第１実施形態の各バッグの制御態様を変更したものであり、第１実施形態と共通する部分については説明を省略する。
【００４９】
本体３０すなわちポンプ３５は、第１脚帯１０に設けられるものであるため、第１エアーバッグ１３とポンプ３５との距離に比べて第２エアーバッグ２３とポンプ３５との距離が大きなものになる。すなわち、第１上ホース４３及び第１下ホース４６に対して、第２上ホース４４及び第２下ホース４７の長さが大きい。このため、第１エアーバッグ１３に対して第２エアーバッグ２３に供給されるエアーには大きな圧力損失が生じるようになる。このため、第１脚帯１０と第２脚帯２０との間でエアーバッグ１３，２３の膨張態様に差が生じやすくなる。
【００５０】
そこで、本実施形態においては、第１上バッグ１４、第１下バッグ１５、第２上バッグ２４及び第２下バッグ２５に対するエアーの供給態様の制御時期を変更することで、第１エアーバッグ１３と第２エアーバッグ２３との間で生じる膨張と収縮の周期差を抑制するようにしている。なお、これらバッグ１３，１４，２３，２４に対するエアーの供給を行う時期を制御するために、第１実施形態の第１電磁弁３６及び第２電磁弁３７に代えて、複数のポートを備える電磁弁を採用し、一つの電磁弁で複数のバッグに対するエアーの供給態様を変更する構成とすることもできる。
【００５１】
図７を参照して、各電磁弁６１〜６４及びエアーバッグ１３，１３の制御態様について詳述する。
第１上バッグ１４内のエアーが最大限に排出された状態からエアーが供給開始され、第１上バッグ１４内にエアーが最大限に供給された状態になるまでの期間、すなわち第１上バッグ膨張期間ＴＵ１に対して、第２上バッグ２４内のエアーが最大限に排出された状態からエアーが供給開始され、第２上バッグ２４内にエアーが最大限に供給された状態になるまでの期間ＴＵ２は、期間ΔＴＵだけ大きい。このため、第１上バッグ１４及び第２上バッグ２４の加圧、すなわちこれらバッグ１４，２４へのエアーの供給を開始するとき、第１上バッグ１４へのエアーの供給よりも期間ΔＴＵだけ早く第２上バッグ２４へのエアーの供給を開始する。
【００５２】
また第１下バッグ１５内のエアーが最大限に排出された状態からエアーが供給開始され、第１下バッグ１５内にエアーが最大限に供給された状態になるまでの期間、すなわち第１下バッグ膨張期間ＴＬ１に対して、第２下バッグ２５内のエアーが最大限に排出された状態からエアーが供給開始され、第２下バッグ２５内にエアーが最大限に供給された状態になるまでの期間ＴＬ２は、期間ΔＴＬだけ大きい。このため、第１下バッグ１５及び第２下バッグ２５の加圧、すなわちこれらバッグ１５，２５へのエアーの供給を開始するとき、第１下バッグ１５へのエアーの供給よりも期間ΔＴＬだけ早く第２下バッグ２５へのエアーの供給を開始する。
【００５３】
時刻ｔ２０、すなわち使用者が操作スイッチ３３を操作して、エアーマッサージ器１を駆動させる。
時刻ｔ２１において、第２上バッグ２４へのエアーの供給が開始される。
【００５４】
時刻ｔ２２、すなわち時刻ｔ２１から期間ΔＴＵが経過したとき、第１上バッグ１４へのエアーの供給が開始される。
時刻ｔ２３、すなわち第１上バッグ１４及び第２上バッグ２４が最大限に膨張するまでの期間が経過したとき、第１上バッグ１４及び第２上バッグ２４に対するエアーが供給及び排出の停止状態に切り替えられる。
【００５５】
時刻ｔ２４、すなわち時刻ｔ２３から所定時間経過したとき、第１上バッグ１４及び第２上バッグ２４からのエアーの排出が開始される。
時刻ｔ２５、すなわち第１上バッグ１４及び第２上バッグ２４からのエアーの排出が行われている状態において、第１下バッグ１５へのエアーの供給が開始される。
【００５６】
時刻ｔ２６、すなわち時刻ｔ２５から期間ΔＴＬが経過したとき、第２下バッグ２５へのエアーの供給が開始される。
時刻ｔ２７、すなわち時刻ｔ２６から第１下バッグ１５及び第２下バッグ２５が最大限に膨張するまでの期間が経過したとき、第１下バッグ１５及び第２下バッグ２５に対するエアーが供給及び排出の停止状態に切り替えられる。
【００５７】
時刻ｔ２８、すなわち時刻ｔ２７から所定時間経過したとき、第１下バッグ１５及び第２下バッグ２５からのエアーの排出が開始される。
時刻ｔ２９において、第２上バッグ２４へのエアーの供給が開始される。
【００５８】
時刻ｔ３０、すなわち時刻ｔ２１から期間ΔＴＵが経過したとき、第１上バッグ１４へのエアーの供給が開始される。
このようにして、操作スイッチ３３がオフに切り替えられるまでの間、第１上バッグ１４及び第２上バッグ２４と、第１下バッグ１５と第２下バッグ２５とが交互に膨張と収縮を繰り返し、使用者の脚に対してマッサージを行う。
【００５９】
以上詳述したように、本実施形態によれば上記実施形態の（１）〜（３）の効果に加えて以下に示す効果が得られるようになる。
（４）左右の脚のそれぞれに装着される第１脚帯１０及び第２脚帯２０を備えるとともに、第１脚帯１０に本体３０が設けられるエアーマッサージ器１においては、本体３０から第１脚帯１０及び第２脚帯２０のそれぞれまでのエアー供給路すなわちホース４０の長さが異なるため、第１脚帯１０と第２脚帯２０との間で第１エアーバッグ１３及び第２エアーバッグ２３の膨張態様に差が生じやすくなる。そして、第１エアーバッグ１３及び第２エアーバッグ２３の膨張態様の差が過度に大きいときには、このことが使用者に対して不快感を与えるおそれもある。
【００６０】
本実施形態のエアーマッサージ器１は、一方の脚に装着される第１脚帯１０と、他方の脚に装着される第２脚帯２０と、本体３０によるエアーの供給態様を制御する制御部５０とを含む。そして、制御部５０は、第１脚帯１０の第１エアーバッグ１３の膨張態様と第２脚帯２０の第２エアーバッグ２３の膨張態様との差が小さくなるように本体３０によるエアーの供給態様を制御するようにしているため、第１エアーバッグ１３及び第２エアーバッグ２３の膨張態様の差に起因して使用者が不快感を覚えることを抑制することができる。
【００６１】
（第３実施形態）
図８〜図９を参照して、本発明の第３実施形態について説明する。なお、本実施形態は第２実施形態の制御部を変更したものであり、第２実施形態と共通する部分については説明を省略する。
【００６２】
図７に示されるように、本実施形態のエアーマッサージ器１には第１電磁弁６１及び第２電磁弁６２及び第３電磁弁６３及び第４電磁弁６４が設けられている。そしてこれらは制御部５０によって制御されている。電源３４を介して供給された電力は制御部５０及びこれに接続されて制御されるポンプ３５及び第１電磁弁６１〜第４電磁弁６４に電力を供給している。制御部５０への電力の供給態様は操作スイッチ３３のオン及びオフによって供給と停止との間で切り替えられる。
【００６３】
図８を参照して、各供給部位に対するエアーの供給態様と電磁弁６１〜６４との関係について詳述する。
同図に示されるように、第１上ホース４３の途中には第１電磁弁６１が設けられている。第２上ホース４４の途中には第２電磁弁６２が設けられている。第１下ホース４６の途中には第３電磁弁６３が設けられている。第２下ホース４７の途中には第４電磁弁６４が設けられている。すなわち、第１上バッグ１４に対するエアーの供給態様、すなわち供給状態及び排出状態及び停止状態は第１電磁弁６１によって切り替えられる。第２上バッグ２４に対するエアーの供給態様、すなわち供給状態及び排出状態及び停止状態は第２電磁弁６２によって切り替えられる。第１下バッグ１５に対するエアーの供給態様、すなわち供給状態及び排出状態及び停止状態は第３電磁弁６３によって切り替えられる。第２下バッグ２４５対するエアーの供給態様、すなわち供給状態及び排出状態及び停止状態は第４電磁弁６４によって切り替えられる。すなわち、第１上バッグ１４及び第２上バッグ２４及び第１下バッグ及び第２下バッグ２５に対するエアーの供給態様は各電磁弁６１〜６４によってそれぞれ独立に切り替えられる。
【００６４】
具体的には、電磁弁６１〜６４による供給態様と各バッグ１４，１５，２４，２５に対するエアーの供給態様は以下のようになる。
（Ａ１）第１電磁弁６１が供給状態にあるとき、第１上バッグ１４に対してエアーが供給される。
（Ａ２）第１電磁弁６１が排出状態にあるとき、第１上バッグ１４からエアーが排出される。
（Ａ３）第１電磁弁６１が停止状態にあるとき、第１上バッグ１４へのエアーの供給及び第１上バッグ１４からのエアーの排出は行われず、第１上バッグ１４内のエアーは保持される。
（Ｂ１）第２電磁弁６２が供給状態にあるとき、第２上バッグ２５に対してエアーが供給される。
（Ｂ２）第２電磁弁６２が排出状態にあるとき、第２上バッグ２５からエアーが排出される。
（Ｂ３）第２電磁弁６２が停止状態にあるとき、第２上バッグ２５へのエアーの供給及び第２上バッグ２５からのエアーの排出は行われず、第２上バッグ２５内のエアーは保持される。
（Ｃ１）第３電磁弁６３が供給状態にあるとき、第１下バッグ１５に対してエアーが供給される。
（Ｃ２）第３電磁弁６３が排出状態にあるとき、第１下バッグ１５からエアーが排出される。
（Ｃ３）第３電磁弁６３が停止状態にあるとき、第１下バッグ１５へのエアーの供給及び第１下バッグ１５からのエアーの排出は行われず、第１下バッグ１５内のエアーは保持される。
（Ｄ１）第４電磁弁６４が供給状態にあるとき、第２下バッグ２５に対してエアーが供給される。
（Ｄ２）第４電磁弁６４が排出状態にあるとき、第２下バッグ２５からエアーが排出される。
（Ｄ３）第４電磁弁６４が停止状態にあるとき、第２下バッグ２５へのエアーの供給及び第２下バッグ２５からのエアーの排出は行われず、第２下バッグ２５内のエアーは保持される。
【００６５】
以上詳述したように、本実施形態によれば上記実施形態の（１）〜（４）の効果に加えて以下に示す効果が得られるようになる。
（５）本実施形態では、第１エアーバッグ１３の第１上バッグ１４及び第１下バッグ１５、第２エアーバッグ２３の第２上バッグ２４及び第２下バッグ２５の、４つのバッグにそれぞれ対応する電磁弁６１〜６４が設けられているため、これらバッグ１３，１４，２３，２４の膨張態様を各別に制御できる。従って、これらバッグ１３，１４，２３，２４に対するエアーの供給を行う時期を制御するために複数のポートを備えて供給態様を変更する電磁弁を設ける場合と比較して、簡単な構成の電磁弁を採用することができる。また、４つのバッグ１３，１４，２３，２４の膨張態様を使用者の好み等に合わせて細かく設定変更できるようになる。
【００６６】
（第４実施形態）
図１０を参照して、本発明の第４実施形態について説明する。なお、本実施形態は第１実施形態の第１脚帯を変更したものであり、第１実施形態と共通する部分については説明を省略する。
【００６７】
図１０に示されるように、第１脚帯１０の脚帯本体１１の上方には、ファスナー１２とは別にファスナー部１８Ａを備えて脚帯本体１１の脚の周方向における長さよりも大きく、且つ脚への装着時において巻き付け長さを調整可能なベルト１８が設けられている。使用者がこの第１脚帯１０を脚に装着するときには、まずファスナー１２によって脚帯本体１１を脚の外周に巻き付けて固定する。そして、次にベルト１８を脚に巻きつけ、ファスナー１２よりも強い巻き付け力を保持した状態でファスナー部１８Ａによって脚に固定する。そして、この状態においてスイッチ３３を操作しマッサージを行う。
【００６８】
以上詳述したように、本実施形態によれば上記実施形態の（１）〜（３）の効果に加えて以下に示す効果が得られるようになる。
（６）第１脚帯１０が本体３０に設けられたエアーマッサージ器１においては、脚帯と本体とが各別に形成されている構造のエアーマッサージ器１に比べて本体３０の分だけ第１脚帯１０が重いため、脚に装着された第１脚帯１０が脚に対してずれやすくなる。本実施形態では、第１脚帯１０には、この第１脚帯１０を脚の周囲に止めるためのファスナー１２と、ファスナー１２とは別に脚に対する位置ずれを抑制するためのずれ止め手段としてベルト１８を設けるようにしているため、第１脚帯１０が脚に対してずれることを好適に抑制することができる。
【００６９】
（第５実施形態）
図１１を参照して、本発明の第５実施形態について説明する。なお、本実施形態は第１実施形態の第１脚帯を変更したものであり、第１実施形態と共通する部分については説明を省略する。
【００７０】
図１１に示されるように、第１脚帯１０の脚帯本体１１の上方には、ファスナー１２とは別に、脚帯本体１１が巻きつける部位の脚の周方向における長さよりも大きく、且つ脚への装着時において巻き付け長さを調整可能なベルト１９が設けられている。使用者がこの第１脚帯１０を脚に装着するときには、ファスナー１２によって脚帯本体１１を脚の外周に巻き付けて固定する。そして、ひざを少し立てて座った姿勢にてベルト１９の輪の一端をひざ上部にかける。このとき、ベルト１９の輪の大きさは前述の姿勢において、ベルト１９をひざ上部にかけた状態でベルト１９がたわまない大きさに調整する。そして、この状態においてスイッチ３３を操作しマッサージを行う。
【００７１】
以上詳述したように、本実施形態によれば上記実施形態の（１）〜（３）の効果に加えて以下に示す効果が得られるようになる。
（７）第１脚帯１０が本体３０に設けられたエアーマッサージ器１においては、脚帯と本体とが各別に形成されている構造のエアーマッサージ器１に比べて本体３０の分だけ第１脚帯１０が重いため、脚に装着された第１脚帯１０が脚に対してずれやすくなる。本実施形態では、第１脚帯１０には、この第１脚帯１０を脚の周囲に止めるためのファスナー１２と、ファスナー１２とは別に脚に対する位置ずれを抑制するためのずれ止め手段としてベルト１９を設けるようにしているため、第１脚帯１０が脚に対してずれることを好適に抑制することができる。
【００７２】
（その他の実施形態）
なお、本発明の実施態様は上記各実施形態の内容に限られるものではなく、例えば以下に示す態様をもって実施することもできる。また以下の各変形例は、上記各実施形態についてのみ適用されるものではなく、異なる変形例同士を互いに組み合わせて実施することもできる。
【００７３】
・上記第２及び第３実施形態では、バッグ１４，２４，１５，２５に対するエアーの供給態様の変更タイミングをそれぞれのバッグ１４，２４，１５，２５で変更することによって第１エアーバッグ１３と第２エアーバッグ２３との膨張態様の差を小さくするようにしたが、第１エアーバッグ１３及び第２エアーバッグ２３に対してエアーを供給するポンプをそれぞれ設けて、第２エアーバッグ２３と対応するポンプの吐出圧を第１エアーバッグ１３と対応するポンプの吐出圧よりも大きくすることで、第１エアーバッグ１３と第２エアーバッグ２３との膨張態様の差を小さくするようにすることもできる。
【００７４】
・また、第１エアーバッグ１３とポンプ３５との距離と、第２エアーバッグ２３とポンプ３５との距離をホース４０の長さを調整して同一にすることでこれらの間での圧力損失の差を小さくし、第１エアーバッグ１３と第２エアーバッグ２３との膨張態様の差を小さくするようにすることもできる。
【００７５】
・さらに、第１エアーバッグ１３とポンプ３５との間のホース４０と、第２エアーバッグ２３とポンプ３５と間のホース４０との流路面積を調整することで、これらの間での圧力損失の差を小さくし、第１エアーバッグ１３と第２エアーバッグ２３との膨張態様の差を小さくするようにすることもできる。
【００７６】
・上記第４及び第５実施形態ではファスナー１２とは別にベルト１８，１９を設けて第１脚帯１０が下方にずれるのを抑制するようにしたが、ファスナー１２とは別に設けられる脚に対するずれ止めの効果があるものであればいずれの構成であってもよい。例えば、脚帯本体の裏面において脚の表面に接着可能な接着剤を添付するようにしてもよい。
【００７７】
・上記各実施形態では、本体３０の設けられる第１脚帯１０に脚に対する上下の取り付け方向を示す上下方向ラベル１７を設けるようにしたが、これに代えてまたは加えて、本体３０に同様の目印を設けるようにしてもよい。
【００７８】
・上記各実施形態では、本体の設けられる第１脚帯１０に脚に対する上下の取り付け方向を示す上下方向ラベル１７を設けるようにしたが、これは以下に変更することもできる。すなわち図１２に示されるように、本体３０の形状を上方の部分の幅ａよりも下方の部分の幅ｂが大きくするようケースを形成する。これにより、使用者に対して本体３０の幅の大きな部分が上方であることを知らせることができるようになる。
【００７９】
・上記各実施形態では、上下方向ラベル１７を設けることにより脚に対する第１脚帯１０の上下の取り付け方向を案内するようにしたが、同案内をするための構成としては、各実施形態のように目印となる別途の要素を設ける構成に限られるものではない。すなわち、図１２に示される変形例をはじめとして、本体３０の構造を上下方向において異ならせることにより、上記の案内をすることもできる。また、本体３０に限らず第１脚帯１０の構造を上下方向において異ならせることにより、上記の案内をすることもできる。すなわち、上記第４または第５実施形態のベルトを上記案内のための目印として利用することもできる。以下に、脚に対する第１脚帯１０の上下の取り付け方向の目印となる構造の例を列挙する。
（Ａ）第１脚帯１０にこれとは別体の目印を設ける。
（Ｂ）第１脚帯１０に目印となる記号を印刷する。
（Ｃ）第１脚帯１０の上部と下部との構造を互いに異なるものとする。
（Ｄ）本体３０にこれとは別体の目印を設ける。
（Ｅ）本体３０に目印となる記号を印刷する。
【００８０】
・上記各実施形態では、ファスナー１２によって第１脚帯１０及び第２脚帯２０を脚に固定するようにしたが、脚帯が脚に締結されるものであればいずれのものでもよく、例えばフックやボタンに変更することもできる。
【００８１】
・上記各実施形態では、第１エアーバッグ１３及び第２エアーバッグ２３はそれぞれ上バッグ１４，２４と下バッグ１５，２５の２つのバッグから構成されるものとしたが、それぞれ１つのバッグから構成されるものとしてもよいし、３以上のバッグから構成されるものとしてもよい。
【００８２】
・上記各実施形態では、第１エアーバッグ１３及び第２エアーバッグ２３はそれぞれ上バッグ１４，２４と下バッグ１５，２５の２つのバッグから構成されるものとしたが、上下方向ではなく左右、すなわち脚の周方向に分かれる構成としてもよい。
【００８３】
・上記各実施形態では、操作スイッチ３３を本体３０の上面に設けたが、本体３０からコードを延伸して手元で操作可能なスイッチとすることもできる。または、本体３０において上面とは別のところ（側面等）に設けることもできる。
【００８４】
・上記各実施形態では、取付具１６を介して、第１脚帯１０と本体３０との相対的な位置を固定するようにしたが、これは、本体３０が第１脚帯１０から容易に離脱しない構成であればいずれの構成を採用することもできる。例えば第１脚帯１０に直接ケース３１の裏面を接着させて固定するようにしてもよい。
【００８５】
・上記各実施形態では、操作スイッチ３３はエアーマッサージ器の稼動と停止とを切り替えるものとしたが、エアーマッサージ器の動作態様を変更する変更スイッチ等を含むものとしてもよい。
【符号の説明】
【００８６】
１…エアーマッサージ器、１０…第１脚帯、１１…脚帯本体、１１Ｂ…固定部、１２…ファスナー、１３…第１エアーバッグ、１４…第１上バッグ、１５…第１下バッグ、１６…取付具、１６Ａ…本体取付部、１６Ｂ…脚帯取付部、１７…上下方向ラベル、１８…ベルト、１８Ａ…ファスナー部、１９…ベルト、２０…第２脚帯、２１…脚帯本体、２２…ファスナー、２３…第２エアーバッグ、２４…第２上バッグ、２５…第２下バッグ、３０…本体、３１…ケース、３１Ａ…取付穴、３３…スイッチ、３４…電源、３５…ポンプ、３６…第１電磁弁、３７…第２電磁弁、４０…ホース、４１…基本ホース、４２…上ホース、４３…第１上ホース、４４…第２上ホース、４５…下ホース、４６…第１下ホース、４７…第２下ホース、５０…制御部、６１…第１電磁弁、６２…第２電磁弁、６３…第３電磁弁、６４…第４電磁弁。
【図１】
2011067289.tif 000003
【図２】
2011067289.tif 000004
【図３】
2011067289.tif 000005
【図４】
2011067289.tif 000006
【図５】
2011067289.tif 000007
【図６】
2011067289.tif 000008
【図７】
2011067289.tif 000009
【図８】
2011067289.tif 000010
【図９】
2011067289.tif 000011
【図１０】
2011067289.tif 000012
【図１１】
2011067289.tif 000013
【図１２】
2011067289.tif 000014